(57)【要約】【課題】ＦＤＤ及びＴＤＤの両方で無線通信するための回路のサイズを縮小し、当該回路のコストを低減すること。【解決手段】第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路と、第１のモードでは、上記第１の端子及び上記第２の端子の一方を上記受信系回路に接続し、上記第１の端子及び上記第２の端子の他方を上記送信系回路に接続し、第２のモードでは、上記第１の端子及び上記第２の端子の一方を上記受信系回路及び上記送信系回路に交互に接続するスイッチと、を備える無線通信装置が提供される。【選択図】図４
2014017764.tif 000002
【特許請求の範囲】
【請求項１】
第１の周波数帯域の信号を入出力するための第１の端子、第２の周波数帯域の信号を入出力するための第２の端子、及びアンテナに接続される第３の端子を有する共用器と、
受信信号を処理する受信系回路と、
送信信号を生成する送信系回路と、
第１のモードでは、前記第１の端子及び前記第２の端子の一方を前記受信系回路に接続し、前記第１の端子及び前記第２の端子の他方を前記送信系回路に接続し、第２のモードでは、前記第１の端子及び前記第２の端子の一方を前記受信系回路及び前記送信系回路に交互に接続するスイッチと、
を備える無線通信装置。
【請求項２】
前記無線通信装置は、第１のインピーダンスを伴う負荷回路をさらに備え、
前記スイッチは、前記第２のモードでは、前記第１の端子及び前記第２の端子の他方を前記負荷回路に接続する、
請求項１に記載の無線通信装置。
【請求項３】
前記第１のインピーダンスは、前記受信系回路の低雑音増幅器の入力インピーダンス又は前記送信系回路のアイソレータの出力インピーダンスに対応するインピーダンスである、請求項２に記載の無線通信装置。
【請求項４】
前記受信系回路は、第１の差動端子及び第２の差動端子を有する差動増幅器を含み、
前記スイッチは、前記第１のモードでは、前記第１の端子及び前記第２の端子の一方を前記差動増幅器の前記第１の差動端子に接続し、前記第１の端子及び前記第２の端子の他方を前記送信系回路に接続し、
前記無線通信装置は、前記スイッチを介して前記送信系回路から前記受信系回路へ漏洩する漏洩信号を再現するレプリカ回路を備え、
前記差動増幅器の前記第２の差動端子は、前記レプリカ回路に接続され、
前記レプリカ回路は、前記漏洩信号の再現により得られる再現信号を、前記差動増幅器の前記第２の差動端子へ出力する、
請求項１に記載の無線通信装置。
【請求項５】
前記漏洩信号は、前記スイッチにおいて、前記送信系回路に接続可能な第１の位置から、前記受信系回路に接続可能な第２の位置へ漏洩し、
前記レプリカ回路は、前記第２の位置と同程度に前記第１の位置から離れた第３の位置で、前記第１の位置から漏洩する信号を受信することにより、前記漏洩信号を再現する、
請求項４に記載の無線通信装置。
【請求項６】
前記レプリカ回路は、第２のインピーダンスを伴う負荷回路を含み、
前記第２のインピーダンスを伴う前記負荷回路は、前記第３の位置を経由して、前記差動増幅器の前記第２の差動端子と接続される、
請求項５に記載の無線通信装置。
【請求項７】
前記第２のインピーダンスは、前記共用器の出力インピーダンスに対応するインピーダンスである、請求項６に記載の無線通信装置。
【請求項８】
前記第１のモードは、ＦＤＤモードであり、
前記第２のモードは、ＴＤＤモードである、
請求項１に記載の無線通信装置。
【請求項９】
前記第１の周波数帯域及び前記第２の周波数帯域の一方は、ＦＤＤにおけるダウンリンク用の周波数帯域であり、前記第１の周波数帯域及び前記第２の周波数帯域の他方は、ＦＤＤにおけるアップリンク用の周波数帯域である、請求項８に記載の無線通信装置。
【請求項１０】
第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、前記第１の端子及び前記第２の端子の一方を前記受信系回路に接続し、前記第１の端子及び前記第２の端子の他方を前記送信系回路に接続することと、
前記無線通信装置において、第２のモードでは、前記第１の端子及び前記第２の端子の一方を前記受信系回路及び前記送信系回路に交互に接続することと、
を含む通信制御方法。
【請求項１１】
コンピュータに、
第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、前記第１の端子及び前記第２の端子の一方を前記受信系回路に接続し、前記第１の端子及び前記第２の端子の他方を前記送信系回路に接続するように、スイッチを制御することと、
前記無線通信装置において、第２のモードでは、前記第１の端子及び前記第２の端子の一方を前記受信系回路及び前記送信系回路に交互に接続するように、前記スイッチを制御することと、
を実行させるためのプログラム。
【発明の詳細な説明】
【技術分野】
【０００１】
本開示は、無線通信装置、無線通信方法及びプログラムに関する。
【背景技術】
【０００２】
従来、異なる２つの通信システムのデュアルモード端末では、典型的には、一方の通信システム用の回路と他方の通信システム用の回路とが並列に配置される。そして、これらの回路は、スイッチによりアンテナ共用器に接続される。
【０００３】
例えば、特許文献１には、Ｗ−ＤＣＭＡ（Wideband  Code  Division  Multiple  Access）システムとＰＨＳ（Personal  Handy-phone  System）とのデュアルモード端末の構成の例が開示されている。
【先行技術文献】
【特許文献】
【０００４】
【特許文献１】特開２００４−１８６７１３号公報
【発明の概要】
【発明が解決しようとする課題】
【０００５】
同様に、ＦＤＤ（Frequency  Division  Duplex）及びＴＤＤ（Time  Division  Duplex）のデュアルモード端末では、ＦＤＤ用の回路とＴＤＤ用の回路が並列に配置され、これらの回路はスイッチでアンテナ共用器に接続されると考えられる。しかし、ＦＤＤとＴＤＤとでは、無線フレームの構成が大きく異なるものの、ＦＤＤ用の回路とＴＤＤ用の回路とは多くの共通性を有する。よって、上述したような回路の並列では、回路のサイズが大きくなり、また回路のコストも高くなる。
【０００６】
そこで、ＦＤＤ及びＴＤＤの両方で無線通信するための回路のサイズを縮小し、当該回路のコストを低減することを可能にする仕組みが提供されることが望ましい。
【課題を解決するための手段】
【０００７】
本開示によれば、第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路と、第１のモードでは、上記第１の端子及び上記第２の端子の一方を上記受信系回路に接続し、上記第１の端子及び上記第２の端子の他方を上記送信系回路に接続し、第２のモードでは、上記第１の端子及び上記第２の端子の一方を上記受信系回路及び上記送信系回路に交互に接続するスイッチと、を備える無線通信装置が提供される。
【０００８】
また、本開示によれば、第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、上記第１の端子及び上記第２の端子の一方を上記受信系回路に接続し、上記第１の端子及び上記第２の端子の他方を上記送信系回路に接続することと、上記無線通信装置において、第２のモードでは、上記第１の端子及び上記第２の端子の一方を上記受信系回路及び上記送信系回路に交互に接続することと、を含む通信制御方法が提供される。
【０００９】
また、本開示によれば、コンピュータに、第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、上記第１の端子及び上記第２の端子の一方を上記受信系回路に接続し、上記第１の端子及び上記第２の端子の他方を上記送信系回路に接続するように、スイッチを制御することと、上記無線通信装置において、第２のモードでは、上記第１の端子及び上記第２の端子の一方を上記受信系回路及び上記送信系回路に交互に接続するように、上記スイッチを制御することと、を実行させるためのプログラムが提供される。
【発明の効果】
【００１０】
以上説明したように本開示によれば、ＦＤＤ及びＴＤＤの両方で無線通信するための回路のサイズを縮小し、当該回路のコストを低減することが可能となる。
【図面の簡単な説明】
【００１１】
【図１】想定されるＦＤＤ及びＴＤＤのデュアルモード端末の構成の一例を示すブロック図である。
【図２】第１の実施形態に係る端末装置の構成の一例を示すブロック図である。
【図３】ＦＤＤモードで無線通信するための、第１の実施形態に係る高周波スイッチの動作を説明するための説明図である。
【図４】ダウンリンク周波数帯域においてＴＤＤモードで無線通信するための、第１の実施形態に係る高周波スイッチの動作を説明するための説明図である。
【図５】アップリンク周波数帯域においてＴＤＤモードで無線通信するための、第１の実施形態に係る高周波スイッチの動作を説明するための説明図である。
【図６】第１の実施形態に係る通信制御処理の概略的な流れの一例を示すフローチャートである。
【図７】第２の実施形態に係る端末装置の構成の一例を示すブロック図である。
【図８】ＦＤＤモードで無線通信するための、第２の実施形態に係る高周波スイッチの動作を説明するための説明図である。
【図９】ダウンリンク周波数帯域においてＴＤＤモードで無線通信するための、第２の実施形態に係る高周波スイッチの動作を説明するための説明図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
１．１．ＬＴＥにおけるＦＤＤ及びＴＤＤ
１．２．想定されるヘテロジニアスネットワーク
１．３．想定される端末装置の構成
１．４．技術的課題
２．第１の実施形態
２．１．端末装置の構成
２．２．処理の流れ
３．第２の実施形態
３．１．端末装置の構成
３．２．処理の流れ
４．まとめ
【００１４】
＜＜１．はじめに＞＞
まず、ＬＴＥにおけるＦＤＤ及びＴＤＤ、想定されるヘテロジニアスネットワーク、想定される端末装置の構成、及び技術的課題を説明する。
【００１５】
＜１．１．ＬＴＥにおけるＦＤＤ及びＴＤＤ＞
まず、本実施形態の説明の前提となる、ＬＴＥにおけるＦＤＤ（Frequency  Division  Duplex）及びＴＤＤ（Time  Division  Duplex）を説明する。
【００１６】
今後世界的に普及が見込まれるＬＴＥ（Long  Term  Evolution）システムについて、３ＧＰＰによって、ＦＤＤ方式及びＴＤＤ方式の両方式が仕様化されている。ＴＤＤ方式では、単一の周波数が、時間分割でアップリンク及びダウンリンクの両方に用いられる。ＴＤＤ方式では時間分割が採用されるので、ＴＤＤ方式での最大の通信速度は、原理的にはＦＤＤ方式での最大の通信速度よりも小さい。しかし、ＴＤＤ方式によれば、端末装置及び基地局のコストが小さい等、実装面で大きなメリットがある。
【００１７】
まず、第１に、ＴＤＤ方式によれば、無線制御が簡略化され、また無線リソースの有効活用が促進されるので、無線通信システムの運用コストが低減され得る。
【００１８】
具体的には、例えば、ＴＤＤ方式では、アップリンク及びダウンリンクに同一周波数を用いるので、アップリンクとダウンリンクとの間におけるチャンネルの双対性（Reciprocity）に基づく無線制御が実行可能である。そのため、基地局は、アップリンクの無線チャネルを用いてダウンリンクの無線チャンネルを容易に推定できる。よって、基地局と端末装置との間の無線制御を著しく簡略化できる。
【００１９】
また、ＴＤＤ方式では、アップリンク及びダウンリンクのチャネル・コンフィギュレーション、即ち無線フレームに含まれるサブフレームごとのリンク方向の組合せを、変更することが可能である。そのため、実際のトラフィックの状況に応じてアップリンクの無線リソースの量とダウンリンクの無線リソースの量とを柔軟に調整することが可能になる。
【００２０】
以上のような無線制御の簡略化及び無線リソースの有効活用の促進により、ＴＤＤ方式では無線通信システムの運用コストが低減され得る。
【００２１】
さらに、第２に、ＴＤＤ方式によれば、端末装置の製造コストが低減され得る。
【００２２】
具体的には、例えば、ＴＤＤ方式の端末装置は、ＦＤＤ方式の端末装置のアンテナ共用器のような高価で実装面積の大きいアンテナ共用器を必要としない。
【００２３】
また、ＴＤＤ方式の端末装置では、アップリンクの通信とダウンリンクの通信とが同時には行われない。そのため、送信信号の受信回路への妨害による感度劣化という高周波回路設計上の大きな問題は、原理的に引き起こされない。当該問題は、ＦＤＤの端末装置の回路設計では大きな懸念として存在する。よって、ＴＤＤ方式の端末装置の高周波増幅回路は、ＦＤＤ方式の端末装置の高周波増幅回路よりも、低コストで実装され得る。
【００２４】
以上のように、アンテナ共用器、高周波増幅回路等の観点から、ＴＤＤ方式では端末装置の製造コストが低減され得る。
【００２５】
現在のところ、３ＧＰＰによって策定されているＬＴＥ方式用の各周波数帯域の仕様では、ＦＤＤ方式及びＴＤＤ方式のうちのいずれか一方が採用されることが想定されている。よって、ＬＴＥシステムを運用する事業者は、当該使用に基づいて、ＦＤＤ方式及びＴＤＤ方式のうちのいずれか一方を採用する。その結果、現状では、ＦＤＤ方式が採用されることが多かった。しかし、上述した理由により、今後、ＴＤＤ方式のＬＴＥシステムも相当に普及する可能性がある。
【００２６】
＜１．２．想定されるヘテロジニアスネットワーク＞
次に、想定されるヘテロジニアスネットワークを説明する。
【００２７】
現在、スマートフォンの普及により、セルラーシステムのデータトラフィックの増大が懸念されている。そのため、各セルラー事業者にとって、セルラーシステムの通信容量を増加させることが増々重要になっている。このような状況下で、将来にわたっては周波数リソースの枯渇することも考えられる。よって、セルラーシステムは、より効率的に周波数リソースを活用することが求められる。例えば、ＩＴＵ−Ｒの無線標準化会議である、世界無線通信会議（ＷＲＣ）等の決議においても、いわゆるコグニティブ無線のような新しい無線通信技術の検討の必要性が指摘されている。
【００２８】
通信容量の増加のための、周波数リソースの有効活用の手法として、例えば、事業者は、ピコセル、フェムトセル等のスモールセルをマクロセル内に配置する。即ち、事業者は、ヘテロジニアスネットワーク（以下、「ＨｅｔＮｅｔ」と呼ぶ）を採用する。これにより、事業者は、セル分割利得によるさらなる通信容量を得ることができる。
【００２９】
上述したように、現在、ＬＴＥシステムでは、ＦＤＤ方式及びＴＤＤ方式のうちのいずれか一方が採用されているが、上記ＨｅｔＮｅｔにおいて、例えば、一定の技術要件の下で、同一周波数帯域についてＦＤＤ方式及びＴＤＤ方式の両方が採用されることも考えられる。例えば、事業者は、マクロセルにおいてＦＤＤ方式を採用し、スモールセル（例えば、フェムトセル）においてＴＤＤ方式を採用し得る。
【００３０】
以上のようなＨｅｔＮｅｔにより、当該事業者は、低コストでシステム容量を増加できる可能性がある。このような周波数利用効率の向上及びコストの低減を通じて、ユーザの利便性が向上することが、長期的には望ましい。
【００３１】
＜１．３．想定される端末装置の構成＞
次に、図１を参照して、ＦＤＤ及びＴＤＤの両方で無線通信する端末装置の想定される構成を説明する。
【００３２】
従来、異なる２つの通信システムのデュアルモード端末では、典型的には、一方の通信システム用の回路と他方の通信システム用の回路とが並列に配置される。そして、これらの回路は、スイッチでアンテナ共用器に接続される。
【００３３】
例えば、特開２００４−１８６７１３号公報には、Ｗ−ＤＣＭＡシステムとＰＨＳとのデュアルモード端末の構成の例が開示されている。
【００３４】
同様に、ＦＤＤ及びＴＤＤのデュアルモード端末では、ＦＤＤ用の回路とＴＤＤ用の回路とが並列に配置され、これらの回路はスイッチでアンテナ共用器に接続されると考えられる。以下、この点について図１を参照してより具体的に説明する。
【００３５】
図１は、想定されるＦＤＤ及びＴＤＤのデュアルモード端末９００の構成の一例を示すブロック図である。デュアルモード端末９００は、ＦＤＤのアップリンク周波数帯域及びダウンリンク周波数帯域の両方でＴＤＤでの無線通信を可能にする。図１を参照すると、デュアルモード端末９００は、ダウンリンク周波数帯域についての受信系回路９２０（ＦＤＤ／ＴＤＤ−ＲＸ）及び送信系回路９３０（ＴＤＤ−ＴＸ）を備える。また、デュアルモード端末９００は、アップリンク周波数帯域についての受信系回路９４０（ＴＤＤ−ＲＸ）及び送信系回路９５０（ＦＤＤ−／ＴＤＤ−ＴＸ）を備える。また、デュアルモード端末９００は、アンテナ９０１、アンテナ共用器９０３、高周波スイッチ９１０、スイッチ９６０、アナログ／デジタル（Ａ／Ｄ）変換器９７１、デジタル／アナログ（Ｄ／Ａ）変換器９７３、及びベースバンド信号処理デジタル回路９８０を備える。
【００３６】
デュアルモード端末９００では、ベースバンド信号処理デジタル回路９８０は、ＦＤＤ及びＴＤＤで共通の回路である。一方、高周波部分については、ＦＤＤの受信系回路９２０及び送信系回路９５０に加えて、ダウンリンク帯域用のＴＤＤの送信系回路９３０及びアップリンク帯域用のＴＤＤの受信系回路９４０が備えられる。これらの回路は、高周波スイッチ９１０により切り替えられて、アンテナ共用器９０３に接続される。また、これらの回路は、スイッチ９６０により切り替えられて、Ａ／Ｄ変換器９７１又はＤ／Ａ変換器９７３に接続される。
【００３７】
ダウンリンク周波数帯域についての受信系回路９２０は、例えば、低雑音増幅器９２１、バンドパスフィルタ９２３、ミキサ９２５、ＡＧＣ（Automatic  Gain  Control）９２７、及びローパスフィルタ９２９を含む。ミキサ９２５、ＡＧＣ９２７及びローパスフィルタ９２９は、直交復調器を形成する。このような受信系回路の構成は、一般的な受信系回路の構成の一例である。また、アップリンク周波数帯域についての受信系回路９４０も、例えば、受信系回路９２０と同様にこれらの要素を含む。
【００３８】
ダウンリンク周波数帯域についての送信系回路９３０は、アイソレータ９３１、増幅器９３２、バンドパスフィルタ９３３、ＡＧＣ９３４、加算器９３５、ミキサ９３７及びローパスフィルタ９３９を含む。加算器９３５、ミキサ９３７及びローパスフィルタ９３９は、直交変調器を形成する。このような送信系回路の構成も、一般的な送信系回路の構成の一例である。また、アップリンク周波数帯域についての送信系回路９５０も、例えば、送信系回路９３０と同様にこれらの要素を含む。
【００３９】
このようなデュアルモード端末９００では、ＦＤＤとＴＤＤとで別々のアンテナ及びアンテナ共用器が用いられず、ＦＤＤとＴＤＤとで共通のアンテナ及びアンテナ共用器が用いられる。よって、デュアルモード端末９００のコストを低減できる。
【００４０】
アンテナ共用器９０３に接続する高周波スイッチ９１０の実装の手法として、いくつかの選択肢が考えられる。しかし、使用される周波数帯域が数ギガヘルツに及ぶ場合には、化合物半導体スイッチ、ＭＥＭＳスイッチ等の比較的高価なスイッチが望ましいこともある。このように、高周波スイッチ９１０はデュアルモード端末９００の性能及びコストに大きく影響するので、高周波スイッチ９１０の実装の手法には十分な注意が必要である。
【００４１】
また、Ａ／Ｄ変換器９７１又はＤ／Ａ変換器９７３に接続されるスイッチ９６０を通過する信号は、ベースバンドの信号であるので、スイッチ９６０は、高周波スイッチ９１０程の高い性能は要求されない。即ち、スイッチ９６０は、性能及びコストの観点から大きなインパクトをもたない。スイッチ９６０は、例えば、ＣＭＯＳ（Complementary  Metal-Oxide  Semiconductor）チップの一部に含められことにより実装され得る。
【００４２】
＜１．４．技術的課題＞
次に、本実施形態における技術的課題を説明する。
【００４３】
図１を参照して上述したとおり、従来のような回路の構成の手法によれば、ＦＤＤ及びＴＤＤのデュアルモード端末では、高周波部分についてＦＤＤ用の回路とＴＤＤ用の回路が並列に配置される。しかし、ＦＤＤとＴＤＤとでは、無線フレームの構成が大きく異なるものの、ＦＤＤ用の回路とＴＤＤ用の回路とは多くの共通性を有する。
【００４４】
より具体的には、例えば、ダウンリンク周波数帯域についてのＦＤＤ用及びＴＤＤ用の受信系回路９２０と、アップリンク周波数帯域についてのＴＤＤ用の受信系回路９４０とは、同様の構成を有する。即ち、両方の回路の各々は、低雑音増幅器９２１、バンドパスフィルタ９２３、ミキサ９２５、ＡＧＣ９２７及びローパスフィルタ９２９を含む。
【００４５】
また、例えば、アップリンク周波数帯域についてのＦＤＤ用及びＴＤＤ用の送信系回路９５０と、ダウンリンク周波数帯域についてのＴＤＤ用の送信系回路９３０とは、同様の構成を有する。即ち、両方の回路の各々は、アイソレータ９３１、増幅器９３２、バンドパスフィルタ９３３、ＡＧＣ９３４、加算器９３５、ミキサ９３７及びローパスフィルタ９３９を含む。
【００４６】
上述したように、従来のように回路を並列に配置する手法では、回路間に多くの共通性が存在する。即ち、回路の構成が冗長である。よって、回路のサイズが大きくなり、また回路のコストも高くなる。
【００４７】
そこで、本開示に係る実施形態では、ＦＤＤ及びＴＤＤの両方で無線通信するための回路のサイズを縮小し、当該回路のコストを低減することを可能にする。以降、＜＜２．第１の実施形態＞＞及び＜＜３．第２の実施形態＞＞において、その具体的な内容を説明する。
【００４８】
＜＜２．第１の実施形態＞＞
まず、本開示の第１の実施形態を説明する。本開示の第１の実施形態によれば、ＦＤＤ用の回路とＴＤＤ用の回路とが共通化される。そして、高周波スイッチによる切り替えにより、ＦＤＤモード及びＴＤＤモードがそれぞれ実現される。
【００４９】
＜２．１．端末装置の構成＞
図２〜図５を参照して、第１の実施形態に係る端末装置１００−１の構成の一例について説明する。図２は、第１の実施形態に係る端末装置１００−１の構成の一例を示すブロック図である。図２を参照すると、端末装置１００−１は、アンテナ１０１、アンテナ共用器１０３、負荷回路１０５、高周波スイッチ１１０、受信系回路１２０、送信系回路１３０、Ａ／Ｄ変換器１７１、Ｄ／Ａ変換器１７３、及びベースバンド信号処理デジタル回路１８０を備える。
【００５０】
（アンテナ１０１）
アンテナ１０１は、無線信号を受信し、当該無線信号を電気的な受信信号に変換する。そして、アンテナ１０１は、当該受信信号をアンテナ共用器１０３に供給する。また、アンテナ１０１は、アンテナ共用器１０３から送信信号を供給される。そして、アンテナ１０１は、当該送信信号を無線信号として送信する。
【００５１】
（アンテナ共用器１０３）
アンテナ共用器１０３は、第１の周波数帯域の信号を入出力するための第１の端子、第２の帯域の信号を入出力するための第２の端子、及びアンテナ１０１に接続される第３の端子を有する。より具体的には、例えば、上記第１の周波数帯域及び上記第２の周波数帯域の一方は、ＦＤＤにおけるダウンリンク用の周波数帯域（以下、「ダウンリンク周波数帯域」と呼ぶ）である。また、例えば、上記第１の周波数帯域及び上記第２の周波数帯域の他方は、ＦＤＤにおけるアップリンク用の周波数帯域（以下、「アップリンク周波数帯域」と呼ぶ）である。そして、アンテナ共用器１０３は、ダウンリンク周波数帯域の信号を入出力するためのＤＬ帯域用端子、アップリンク周波数帯域の信号を入出力するためのＵＬ帯域用端子、及びアンテナ１０１に接続されるアンテナ用端子を有する。
【００５２】
また、アンテナ共用器１０３は、アンテナ１０１からの受信信号のうちのダウンリンク周波数帯域の受信信号を、ＤＬ帯域用端子を介して高周波スイッチ１１０ａに出力する。また、アンテナ共用器１０３は、アンテナ１０１からの受信信号のうちのアップリンク周波数帯域の受信信号を、ＵＬ帯域用端子を介して高周波スイッチ１１０ｂに出力する。
【００５３】
また、アンテナ共用器１０３は、高周波スイッチ１１０ａからＤＬ帯域用端子を介して入力されるダウンリンク周波数帯域の送信信号を、アンテナ１０１に出力する。また、アンテナ共用器１０３は、高周波スイッチ１１０ｂからＵＬ帯域用端子を介して入力されるアップリンク周波数帯域の送信信号を、アンテナ１０１に出力する。
【００５４】
なお、アンテナ共用器１０３は、ダウンリンク周波数帯域側において、受信信号のみではなく送信信号も入力されることを適宜考慮して設計される。例えば、アンテナ共用器１０３の設計では、送信高周波に対する減衰特性のようなフィルタ特性、送信電力を入力するに足りる入力許容レベル等が考慮され得る。また、アンテナ共用器１０３は、アップリンク周波数帯域側において、送信信号のみではなく受信信号も入力されることを適宜考慮して設計される。例えば、近傍の妨害波の減衰特性のようなフィルタ特性等が考慮され得る。
【００５５】
（負荷回路１０５）
負荷回路１０５は、第１のインピーダンスを伴う回路である。例えば、当該第１のインピーダンスは、受信系回路１２０の低雑音増幅器１２１の入力インピーダンス又は送信系回路１３０のアイソレータ１３１の出力インピーダンスに対応するインピーダンスである。設計及び生産の簡略化のために、負荷回路１０５の上記第１のインピーダンスは、例えば、５０Ωの純抵抗である。なお、より厳密に、負荷回路１０５ａの上記第１のインピーダンスは、アイソレータ１３１の出力インピーダンスと同等のインピーダンスであり、負荷回路１０５ｂの上記第１のインピーダンスは、低雑音増幅器１２１の入力インピーダンスと同等のインピーダンスであってもよい。
【００５６】
また、負荷回路１０５は、例えば、抵抗器、コンデンサ及びインダクタのうちの１つ以上により構成される。
【００５７】
（高周波スイッチ１１０）
高周波スイッチ１１０は、アンテナ共用器１０３と受信系回路１２０及び送信系回路１３０とを接続する。
【００５８】
より具体的には、高周波スイッチ１１０は、第１のモードでは、上記第１の端子及び上記第２の端子の一方を受信系回路１２０に接続し、上記第１の端子及び上記第２の端子の他方を送信系回路１３０に接続する。さらに具体的には、例えば、上記第１のモードは、ＦＤＤモードである。そして、高周波スイッチ１１０は、ＦＤＤモードでは、ＤＬ帯域用端子を受信系回路１２０に接続し、ＵＬ帯域用端子を送信系回路１３０に接続する。以下、この点について図３を参照してより具体的に説明する。
【００５９】
図３は、ＦＤＤモードで無線通信するための、第１の実施形態に係る高周波スイッチ１１０の動作を説明するための説明図である。図３を参照すると、高周波スイッチ１１０ａは、ＦＤＤモードでは、アンテナ共用器１０３のＤＬ帯域用端子を受信系回路１２０に接続し、高周波スイッチ１１０ｂは、アンテナ共用器１０３のＵＬ帯域用端子を送信系回路１３０に接続する。このような接続により、端末装置１００−１は、ダウンリンク周波数帯域の受信信号を受信系回路１２０で処理し、アップリンク周波数帯域の送信信号を送信系回路１３０で生成することが可能になる。即ち、端末装置１００−１は、ＦＤＤモードで無線通信することが可能になる。
【００６０】
また、高周波スイッチ１１０は、第２のモードでは、上記第１の端子及び上記第２の端子の一方を受信系回路１２０及び送信系回路１３０に交互に接続する。さらに具体的には、例えば、上記第２のモードは、ＴＤＤモードである。そして、高周波スイッチ１１０は、ＴＤＤモードでは、ＤＬ帯域用端子及びＵＬ帯域用端子の一方を受信系回路１２０及び送信系回路１３０に交互に接続する。以下、この点について図４及び図５を参照してより具体的に説明する。
【００６１】
図４は、ダウンリンク周波数帯域においてＴＤＤモードで無線通信するための、第１の実施形態に係る高周波スイッチ１１０の動作を説明するための説明図である。図４を参照すると、高周波スイッチ１１０ａは、ダウンリンク周波数帯域でのＴＤＤモードでは、アンテナ共用器１０３のＤＬ帯域用端子を、受信系回路１２０及び送信系回路１３０に交互に接続する。即ち、高周波スイッチ１１０ａは、ダウンリンク周波数帯域において無線信号が受信される期間に、ＤＬ帯域用端子を受信系回路１２０に接続し、ダウンリンク周波数帯域において無線信号が送信される期間に、ＤＬ帯域用端子を送信系回路１３０に接続する。このような接続により、端末装置１００−１は、ダウンリンク周波数帯域の受信信号を受信系回路１２０で処理し、ダウンリンク周波数帯域の送信信号を送信系回路１３０で生成することが可能になる。即ち、端末装置１００−１は、ダウンリンク周波数においてＴＤＤモードで無線通信することが可能になる。
【００６２】
図５は、アップリンク周波数帯域においてＴＤＤモードで無線通信するための、第１の実施形態に係る高周波スイッチ１１０の動作を説明するための説明図である。図５を参照すると、高周波スイッチ１１０ｂは、アップリンク周波数帯域でのＴＤＤモードでは、アンテナ共用器１０３のＵＬ帯域用端子を、受信系回路１２０及び送信系回路１３０に交互に接続する。即ち、高周波スイッチ１１０ｂは、アップリンク周波数帯域において無線信号が受信される期間に、ＵＬ帯域用端子を受信系回路１２０に接続し、アップリンク周波数帯域において無線信号が送信される期間に、ＵＬ帯域用端子を送信系回路１３０に接続する。このような接続により、端末装置１００−１は、アップリンク周波数帯域の受信信号を受信系回路１２０で処理し、アップリンク周波数帯域の送信信号を送信系回路１３０で生成することが可能になる。即ち、端末装置１００−１は、アップリンク周波数においてＴＤＤモードで無線通信することが可能になる。
【００６３】
また、例えば、高周波スイッチ１１０は、上記第２のモードでは、上記第１の端子及び上記第２の端子の他方を負荷回路１０５に接続する。より具体的には、例えば、高周波スイッチ１１０は、ＴＤＤモードでは、ＤＬ帯域用端子及びＵＬ帯域用端子のうちの、受信系回路１２０及び送信系回路１３０に接続されない方の端子を、負荷回路１０５に接続する。このように、ＴＤＤモードで受信系回路１２０及び送信系回路１３０をアンテナ共用器１０３に接続しない高周波スイッチ１１０について、その終端として負荷回路１０５を用いることで、アンテナ共用器１０３におけるインサーションロスを抑制することができる。即ち、このような終端がない場合には、アンテナ共用器１０３では、通過帯域が狭くなる、カットされるべき周波数帯域がカットされない、等の問題が生じ得るが、負荷回路１０５による終端により、このような問題を抑制することができる。
【００６４】
なお、高周波スイッチ１１０は、いずれかの適した形式で実装され得る。例えば、高周波スイッチ１１０は、化合物半導体スイッチであってもよく、又はＭＥＭＳ（Micro  Electro  Mechanical  Systems）スイッチであってもよい。高周波スイッチ１１０は、受信信号及び送信信号の両方のロスをなるべく小さくするスイッチであることが望ましい。
【００６５】
（受信系回路１２０）
受信系回路１２０は、受信信号を処理する。より具体的には、受信系回路１２０は、高周波の受信信号の増幅及び復調を行い、アナログのベースバンド信号を出力する。受信系回路１２０は、上述した受信系回路９２０及び受信系回路９４０の構成と同様に、例えば、低雑音増幅器１２１、バンドパスフィルタ１２３、ミキサ１２５、ＡＧＣ１２７、及びローパスフィルタ１２９を含む。ミキサ１２５、ＡＧＣ１２７及びローパスフィルタ１２９は、直交復調器を形成する。
【００６６】
ここで、バンドパスフィルタ１２３は、例えば、ダウンリンク周波数帯域の受信信号を処理する場合と、アップリンク周波数帯域の受信信号を処理する場合とで、通過帯域を切り替える。より具体的には、例えば、バンドパスフィルタ１２３は、ダウンリンク周波数帯域の受信信号のための、第１の通過帯域を伴う第１のバンドパスフィルタと、アップリンク周波数帯域の受信信号のための、第２の通過帯域を伴う第２のバンドパスフィルタとを含む。そして、受信系回路１２０が高周波スイッチ１１０ａに接続される場合に、上記第１のバンドパスフィルタが用いられ、受信系回路１２０が高周波スイッチ１１０ｂに接続される場合に、上記第２のバンドパスフィルタが用いられる。
【００６７】
また、ローパスフィルタ１２９も、例えば、ダウンリンク周波数帯域の受信信号を処理する場合と、アップリンク周波数帯域の受信信号を処理する場合とで、カットオフ周波数を切り替える。より具体的には、例えば、ローパスフィルタ１２９は、ダウンリンク周波数帯域の受信信号のための、第１のカットオフ周波数を伴う第１のローパスフィルタと、アップリンク周波数帯域の受信信号のための、第２のカットオフ周波数を伴う第２のローパスフィルタとを含む。そして、受信系回路１２０が高周波スイッチ１１０ａに接続される場合に、上記第１のローパスフィルタが用いられ、受信系回路１２０が高周波スイッチ１１０ｂに接続される場合に、上記第２のローパスフィルタが用いられる。
【００６８】
以上のようなバンドパスフィルタ１２３及びローパスフィルタ１２９は、例えば、半導体集積回路の中で切り替え可能なように実装され得る。または、バンドパスフィルタ１２３及びローパスフィルタ１２９は、切り替え可能なように半導体集積回路に外部接続されて、用いられてもよい。
【００６９】
また、ミキサ１２５は、例えば、ダウンリンク周波数帯域の受信信号及びアップリンク周波数帯域の受信信号の各々に適したローカル周波数を入力し得る。より具体的には、例えば、ミキサ１２５は、ダウンリンク周波数帯域及びアップリンク周波数帯域の両方を含む広帯域に対応可能なローカル発振器を含む。または、ミキサ１２５は、ダウンリンク周波数帯域用の第１のローカル発振器と、アップリンク周波数帯域用の第２のローカル発振器を含んでもよい。そして、受信系回路１２０が高周波スイッチ１１０ａに接続される場合に、第１のローカル発振器が用いられ、受信系回路１２０が高周波スイッチ１１０ｂに接続される場合に、第２のローカル発振器が用いられてもよい。
【００７０】
例えば以上のように、バンドパスフィルタ１２３、ローパスフィルタ１２９及びミキサ１２５は、ダウンリンク周波数帯域の受信信号及びアップリンク周波数帯域の受信信号を処理することができる。なお、バンドパスフィルタ１２３、ローパスフィルタ１２９及びミキサ１２５は、従来のバンドパスフィルタ９２３、ローパスフィルタ９２９及びミキサ９２５と比べて、回路のサイズを大きくし、回路のコストを増加させ得る。しかし、図１に示されるように、受信系回路が並列に配置される場合と比べて、本実施形態の場合には、受信系回路全体のサイズは縮小され、受信系回路全体のコストは低減され得る。
【００７１】
（送信系回路１３０）
送信系回路１３０は、送信信号を生成する。より具体的には、送信系回路１３０は、アナログのベースバンド信号の変調及び増幅を行い、高周波の送信信号を出力する。送信系回路１３０は、上述した送信系回路９３０及び送信系回路９５０の構成と同様に、例えば、アイソレータ１３１、増幅器１３２、バンドパスフィルタ１３３、ＡＧＣ１３４、加算器１３５、ミキサ１３７及びローパスフィルタ１３９を含む。加算器１３５、ミキサ１３７及びローパスフィルタ１３９は、直交変調器を形成する。
【００７２】
バンドパスフィルタ１３３は、受信系回路１２０のバンドパスフィルタ１２３と同様に、例えば、ダウンリンク周波数帯域の送信信号を処理する場合と、アップリンク周波数帯域の送信信号を処理する場合とで、通過帯域を切り替える。
【００７３】
また、ローパスフィルタ１３９は、受信系回路１２０のローパスフィルタ１２９と同様に、例えば、ダウンリンク周波数帯域の送信信号を処理する場合と、アップリンク周波数帯域の送信信号を処理する場合とで、カットオフ周波数を切り替える。
【００７４】
また、ミキサ１３７は、受信系回路１２０のミキサ１２５と同様に、例えば、ダウンリンク周波数帯域の送信信号及びアップリンク周波数帯域の送信信号の各々に適したローカル周波数を入力し得る。
【００７５】
なお、送信系回路についても、図１に示されるように送信系回路が並列に配置される場合と比べて、本実施形態の場合には、送信系回路全体のサイズは縮小され、送信系回路全体のコストは低減され得る。
【００７６】
（Ａ／Ｄ変換器１７１）
Ａ／Ｄ変換器１７１は、受信系回路１２０により出力されるアナログのベースバンド信号のＡ／Ｄ変換を行う。例えば、Ａ／Ｄ変換器１７１ａは、アナログのベースバンド信号のうちのＩ成分のＡ／Ｄ変換を行う。また、Ａ／Ｄ変換器１７１ｂは、アナログのベースバンド信号のうちのＱ成分のＡ／Ｄ変換を行う。Ａ／Ｄ変換器１７１は、Ａ／Ｄ変換により、デジタルのベースバンド信号を出力する。
【００７７】
（Ｄ／Ａ変換器１７３）
Ｄ／Ａ変換器１７３は、ベースバンド信号処理デジタル回路により出力されるデジタルのベースバンド信号のＤ／Ａ変換を行う。例えば、Ｄ／Ａ変換器１７３ａは、デジタルのベースバンド信号のうちのＩ成分のＤ／Ａ変換を行う。また、Ｄ／Ａ変換器１７３ｂは、デジタルのベースバンド信号のうちのＱ成分のＤ／Ａ変換を行う。Ｄ／Ａ変換器１７３は、Ｄ／Ａ変換により、アナログのベースバンド信号を出力する。
【００７８】
（ベースバンド信号処理デジタル回路１８０）
ベースバンド信号処理デジタル回路１８０は、受信されるデジタルのベースバンド信号を処理し、送信されるデジタルのベースバンド信号を生成する。
【００７９】
＜２．２．処理の流れ＞
次に、図６を参照して、第１の実施形態に係る通信制御処理の一例について説明する。図６は、第１の実施形態に係る通信制御処理の概略的な流れの一例を示すフローチャートである。当該通信制御処理は、通信モード（複信方式）の切り替えにより開始される。
【００８０】
まず、ステップＳ３０１で、ＦＤＤモードへの切り替えがあったかが判定される。当該切り替えがあれば、処理はステップＳ３１１へ進む。そうでなければ、処理はステップＳ３２１へ進む。
【００８１】
ステップＳ３１１で、高周波スイッチ１１０ａは、アンテナ共用器１０３のＤＬ帯域用端子を受信系回路１２０に接続する。また、ステップＳ３１３で、高周波スイッチ１１０ｂは、アンテナ共用器１０３のＵＬ帯域用端子を送信系回路１３０に接続する。そして、処理は終了する。
【００８２】
ステップＳ３２１で、ダウンリンク周波数帯域におけるＴＤＤモードへの切り替えがあったかが判定される。当該切り替えがあれば、処理はステップＳ３３１へ進む。そうでなければ、処理はステップＳ３４１へ進む。
【００８３】
ステップＳ３３１で、高周波スイッチ１１０ａは、アンテナ共用器１０３のＤＬ帯域用端子を受信系回路１２０及び送信系回路１３０に交互に接続するように設定される。また、ステップＳ３３３で、高周波スイッチ１１０ｂは、アンテナ共用器１０３のＵＬ帯域用端子を負荷回路１０５ｂに接続する。そして、処理は終了する。
【００８４】
ステップＳ３４１で、高周波スイッチ１１０ｂは、アンテナ共用器１０３のＵＬ帯域用端子を受信系回路１２０及び送信系回路１３０に交互に接続するように設定される。また、ステップＳ３４３で、高周波スイッチ１１０ａは、アンテナ共用器１０３のＤＬ帯域用端子を負荷回路１０５ａに接続する。そして、処理は終了する。
【００８５】
以上、第１の実施形態について説明したが、当該第１の実施形態によれば、ＦＤＤ用の回路とＴＤＤ用の回路とが共通化され、高周波スイッチ１１０による切り替えにより、ＦＤＤモード及びＴＤＤモードがそれぞれ実現される。よって、ＦＤＤ及びＴＤＤの両方で無線通信するための回路のサイズを縮小し、当該回路のコストを低減することができる。また、回路のサイズの縮小により、消費電力が小さくなる。
【００８６】
＜＜３．第２の実施形態＞＞
次に、本開示の第２の実施形態を説明する。上記第１の実施形態によれば、回路のサイズを縮小できるものの、高周波スイッチ１１０により受信系回路１２０と送信系回路１３０とのアイソレーションが劣化し、送信系回路１３０からの送信信号が高周波スイッチ１１０を経由して受信系回路１２０に漏れ得る。そして、送信系回路１２０と受信系回路１３０とが同時に動作するＦＤＤモードでは、受信回路のダイナミックレンジが狭い場合に、漏れた送信信号（即ち、漏洩信号）により受信回路において飽和が引き起こされ得る。その結果、端末装置１００−１において受信感度が劣化し得る。そこで、第２の実施形態では、高周波スイッチ１１０を経由して送信系回路１３０から受信系回路１２０に漏れる漏洩信号がキャンセルされる。
【００８７】
＜３．１．端末装置の構成＞
図７〜図９を参照して、第２の実施形態に係る端末装置１００−２の構成の一例について説明する。図７は、第２の実施形態に係る端末装置１００−２の構成の一例を示すブロック図である。図７を参照すると、端末装置１００−２は、アンテナ１０１、アンテナ共用器１０３、負荷回路１０５、負荷回路１０７、高周波スイッチ１１０ｂ、受信系回路１４０、送信系回路１３０、Ａ／Ｄ変換器１７１、Ｄ／Ａ変換器１７３、ベースバンド信号処理デジタル回路１８０及び高周波スイッチ１９０を備える。また、端末装置１００−２は、レプリカ回路１５０を備える。レプリカ回路１５０は、負荷回路１０７と高周波スイッチ１９０の一部とを含む。
【００８８】
ここで、アンテナ１０１、アンテナ共用器１０３、負荷回路１０５、高周波スイッチ１１０ｂ、送信系回路１３０、Ａ／Ｄ変換器１７１、Ｄ／Ａ変換器１７３及びベースバンド信号処理デジタル回路１８０については、第１の実施形態と第２の実施形態との間に差異はない。よって、ここでは、負荷回路１０７、受信系回路１４０、高周波スイッチ１９０、及びレプリカ回路１５０について説明する。
【００８９】
（負荷回路１０７）
負荷回路１０７は、第２のインピーダンスを伴う回路である。例えば、当該第２のインピーダンスは、アンテナ共用器１０３の出力インピーダンスに対応するインピーダンスである。当該出力インピーダンスは、アンテナ共用器１０３のダウンリンク周波数帯域側の出力インピーダンスである。漏洩信号を高い精度でキャンセルするために、負荷回路１０７の上記第２のインピーダンスは、例えば、アンテナ共用器１０３のダウンリンク周波数帯域側の出力インピーダンスと同等のインピーダンスである。なお、設計及び生産の簡略化を優先する場合に、負荷回路１０７の上記第２のインピーダンスは、例えば、５０Ωの純抵抗であってもよい。
【００９０】
また、負荷回路１０７は、例えば、抵抗器、コンデンサ及びインダクタのうちの１つ以上により構成される。
【００９１】
また、負荷回路１０７は、レプリカ回路１５０に含まれる。
【００９２】
（受信系回路１４０）
受信系回路１４０は、受信信号を処理する。より具体的には、受信系回路１４０は、高周波の受信信号の増幅及び復調を行い、アナログのベースバンド信号を出力する。そして、第２の実施形態では、受信系回路１４０は、低雑音増幅器１２１の代わりに、第１の差動端子１４３及び第２の差動端子１４５を有する差動増幅器１４１を含む。例えば、差動増幅器１４１は、第１の差動端子１４３への入力信号から第２の差動端子１４５への入力情報を差し引くことにより得られる信号を増幅する。
【００９３】
また、差動増幅器１４１の第２の差動端子１４５は、レプリカ回路１５０に接続される。
【００９４】
なお、受信系回路１４０は、第１の実施形態に係る受信系回路１２０と同様に、バンドパスフィルタ１２３、ミキサ１２５、ＡＧＣ１２７、及びローパスフィルタ１２９を含む。
【００９５】
（高周波スイッチ１９０）
高周波スイッチ１９０は、アンテナ共用器１０３と受信系回路１４０及び送信系回路１３０とを接続する。
【００９６】
より具体的には、高周波スイッチ１９０は、第１のモードでは、アンテナ共用器１０３の上記第１の端子及び上記第２の端子の一方を差動増幅器１４１の第１の差動端子１４３に接続する。さらに具体的には、例えば、上記第１のモードは、ＦＤＤモードである。そして、高周波スイッチ１９０は、ＦＤＤモードでは、ＤＬ帯域用端子を差動増幅器１４１の第１の差動端子１４３に接続する。以下、この点について図８を参照してより具体的に説明する。
【００９７】
図８は、ＦＤＤモードで無線通信するための、第２の実施形態に係る高周波スイッチ１９０の動作を説明するための説明図である。図８を参照すると、高周波スイッチ１９０は、ＦＤＤモードでは、アンテナ共用器１０３のＤＬ帯域用端子を差動増幅器１４１の第１の差動端子１４３に接続する。なお、高周波スイッチ１１０ｂは、第１の実施形態と同様に、アンテナ共用器１０３のＵＬ帯域用端子を送信系回路１３０に接続する。その結果、差動増幅器１４１の第１の差動端子１４３は、アンテナ共用器１０３に接続され、差動増幅器１４１の第２の差動端子１４５は、負荷回路１０７（又はレプリカ回路１５０）に接続される。
【００９８】
また、高周波スイッチ１９０は、ダウンリンク周波数帯域での第２のモードでは、上記第１の端子及び上記第２の端子の一方を差動増幅器１４１の第１の差動端子１４３及び送信系回路１３０に交互に接続する。さらに具体的には、例えば、上記第２のモードは、ＴＤＤモードである。そして、高周波スイッチ１９０は、ダウンリンク周波数帯域でのＴＤＤモードでは、ＤＬ帯域用端子を差動増幅器１４１の第１の差動端子１４３及び送信系回路１３０に交互に接続する。以下、この点について図９を参照してより具体的に説明する。
【００９９】
図９は、ダウンリンク周波数帯域においてＴＤＤモードで無線通信するための、第２の実施形態に係る高周波スイッチ１９０の動作を説明するための説明図である。図９を参照すると、高周波スイッチ１９０は、ダウンリンク周波数帯域でのＴＤＤモードでは、アンテナ共用器１０３のＤＬ帯域用端子を、差動増幅器１４１の第１の差動端子１４３及び送信系回路１３０に交互に接続する。即ち、高周波スイッチ１９０は、ダウンリンク周波数帯域において無線信号が受信される期間に、ＤＬ帯域用端子を差動増幅器１４１の第１の差動端子１４３に接続し、ダウンリンク周波数帯域において無線信号が送信される期間に、ＤＬ帯域用端子を送信系回路１３０に接続する。
【０１００】
また、高周波スイッチ１９０は、アップリンク周波数帯域での第２のモード（即ち、ＴＤＤモード）では、上記第１の端子及び上記第２の端子の一方（即ち、ＤＬ帯域用端子）を負荷回路１０５ａに接続する。
【０１０１】
また、例えば、高周波スイッチ１９０は、差動増幅器１４１の第２の差動端子１４５を負荷回路１０７に接続する。なお、高周波スイッチ１９０のうちの、差動増幅器１４１の第２の差動端子１４５を負荷回路１０７に接続するための部分は、レプリカ回路１５０に含まれる。
【０１０２】
また、端末装置１００−２では、高周波スイッチ１９０を介して送信系回路１３０から受信系回路１４０へ漏洩する漏洩信号（即ち、漏洩する送信信号）が存在し得る。例えば、当該漏洩信号は、高周波スイッチ１９０において、送信系回路１３０に接続可能な位置１９１から、受信系回路１４０に接続可能な位置１９３へ漏洩する。当該位置１９３は、差動増幅器１４１の第１の差動端子１４３に接続可能な位置とも言える。ＦＤＤモードでは、送信と受信とが同時に行われるので、上記漏洩信号が問題になる。一方、ＴＤＤモードでは、送信と受信とは別々の時間に行われるので、上記漏洩信号は問題にならない。
【０１０３】
なお、高周波スイッチ１９０において、位置１９３と同程度に位置１９１から離れた位置１９５がある。高周波スイッチ１９０は、位置１９５で、位置１９１から漏洩する信号を受信する。高周波スイッチ１９０の位置１９５は、差動増幅器１４１の第２の差動端子１４５を負荷回路１０７に接続するための上記部分に含まれる。即ち、位置１９５は、レプリカ回路１５０に含まれる。
【０１０４】
（レプリカ回路１５０）
レプリカ回路１５０は、高周波スイッチ１９０を介して送信系回路１３０から受信系回路１４０へ漏洩する漏洩信号を再現する。例えば、レプリカ回路１５０は、当該漏洩信号との差分が所定の範囲内に収まる信号を生成する。また、レプリカ回路１５０は、差動増幅器１４１の第２の差動端子１４５に接続される。そして、レプリカ回路１５０は、上記漏洩信号の再現により得られる再現信号を、差動増幅器１４１の第２の差動端子１４５へ出力する。
【０１０５】
具体的には、上述したように、高周波スイッチ１９０を介した送信系回路１３０から受信系回路１４０への漏洩信号は、例えば、高周波スイッチ１９０において、送信系回路１３０に接続可能な位置１９１から、受信系回路１４０に接続可能な位置１９３へ漏洩する。そして、例えば、レプリカ回路１５０は、位置１９３から同程度に位置１９１から離れた位置１９５で、位置１９１から漏洩する信号を受信することにより、上記漏洩信号を再現する。受信された上記信号は、上記再現信号となる。このように、位置１９１と位置１９３との間の距離及び位置１９１と位置１９５との間の距離は同程度であるので、位置１９１から位置１９３へ信号が漏洩するのと同様に、位置１９１から位置１９５へ信号が漏洩する。一例として、以上のように、レプリカ回路１５０は漏洩信号を再現する。
【０１０６】
このように、漏洩信号と同様の再現信号が、差動増幅器１４１の第２の差動端子１４５に入力される。また、ＦＤＤモードでは、アンテナ共用器１０３からの受信信号と、位置１９１から位置１９３に漏洩する漏洩信号とが、差動増幅器１４１の第１の差動端子１４３に入力される。その結果、差動増幅器１４１では、受信信号及び漏洩信号から、漏洩信号と同様の再現信号が差し引かれる。即ち、第１の差動端子１４３に入力される漏洩信号は、第２の差動端子１４３に入力される再現信号によりキャンセルされる。その結果、第１の差動端子１４３から、受信信号と同様の信号が出力される。よって、端末装置１００−２において受信感度の劣化を抑制することができる。なお、ＴＤＤモードでは、受信信号が処理される時間に、送信信号が生成されないので、漏洩信号による受信感度の劣化は起こらない。
【０１０７】
さらに、レプリカ回路１５０は、上記第２のインピーダンスを伴う負荷回路１０７を含む。そして、負荷回路１０７は、位置１９５を経由して、差動増幅器１４１の第２の差動端子１４５と接続される。また、上述したように、上記第２のインピーダンスは、アンテナ共用器１０３の出力インピーダンスに対応するインピーダンスである。
【０１０８】
このような負荷回路１０７の配置により、位置１９３と位置１９５とがより近い条件を有するようになる。即ち、位置１９３では、第１の差動端子１４３の反対側にアンテナ共用器１０３が位置し、位置１９５では、第２の差動端子１４５の反対側に負荷回路１０７が位置する。そのため、位置１９１から位置１９５に漏洩する再現信号は、位置１９１から位置１９３に漏洩する漏洩信号により近くなる。その結果、差動増幅器１４１において、より厳密に漏洩信号がキャンセルされる。よって、受信感度の劣化をより良好に抑制することができる。
【０１０９】
＜３．２．処理の流れ＞
第２の実施形態に係る通信制御処理は、第１の実施形態に係る通信制御処理と同様である。上述した端末装置１００−２の構成の結果として、漏洩信号がキャンセルされ、受信感度の劣化が抑制される。よって、第２の実施形態に係る通信制御処理として、上述した第１の実施形態に係る通信制御処理を参照する。
【０１１０】
＜＜４．まとめ＞＞
ここまで、図１〜図９を用いて、本開示の実施形態に係る端末装置及び通信制御処理を説明した。本実施形態によれば、ＦＤＤモードでは、高周波スイッチ１１０は、アンテナ共用器１０３のＤＬ帯域用端子を受信系回路１２０（又は受信系回路１４０）に接続し、アンテナ共用器１０３のＵＬ帯域用端子を送信系回路１３０に接続する。また、ＴＤＤモードでは、高周波スイッチ１１０は、アンテナ共用器１０３のＤＬ帯域用端子又はＵＬ帯域用端子の一方を、受信系回路１２０（又は受信系回路１４０）及び送信系回路１３０に交互に接続する。
【０１１１】
このように、ＦＤＤ用の回路とＴＤＤ用の回路とが共通化され、高周波スイッチ１１０による切り替えにより、ＦＤＤモード及びＴＤＤモードがそれぞれ実現される。よって、ＦＤＤ及びＴＤＤの両方で無線通信するための回路のサイズを縮小し、当該回路のコストを低減することができる。また、回路のサイズの縮小により、消費電力が小さくなる。
【０１１２】
また、例えば、ＴＤＤモードでは、高周波スイッチ１１０は、アンテナ共用器１０３のＤＬ帯域用端子又はＵＬ帯域用端子の他方を負荷回路１０５に接続する。
【０１１３】
このように、ＴＤＤモードで受信系回路１２０及び送信系回路１３０をアンテナ共用器１０３に接続しない高周波スイッチ１１０について、その終端として負荷回路１０５を用いることで、アンテナ共用器１０３におけるインサーションロスを抑制することができる。即ち、このような終端がない場合には、アンテナ共用器１０３では、通過帯域が狭くなる、カットされるべき周波数帯域がカットされない、等の問題が生じ得るが、負荷回路１０５による終端により、このような問題を抑制することができる。
【０１１４】
また、例えば、受信系回路１４０は、第１の差動端子１４３及び第２の差動端子１４５を有する差動増幅器１４３を含む。また、高周波スイッチ１９０は、ＦＤＤモードでは、アンテナ共用器１０３のＤＬ帯域用端子及びＵＬ帯域用端子の一方を、差動増幅器１４１の第１の差動端子１４３に接続する。端末装置１００は、高周波スイッチ１１０を介して送信系回路１３０から受信系回路１４０へ漏洩する漏洩信号を再現するレプリカ回路１５０を備える。また、差動増幅器１４１の第２の差動端子１４５は、レプリカ回路１５０に接続される。また、レプリカ回路１５０は、漏洩信号の再現により得られる再現信号を、差動増幅器１４１の第２の差動端子１４５へ出力する。
【０１１５】
このように、漏洩信号と同様の再現信号が、差動増幅器１４１の第２の差動端子１４５に入力される。また、ＦＤＤモードでは、アンテナ共用器１０３からの受信信号と漏洩信号とが、差動増幅器１４１の第１の差動端子１４３に入力される。その結果、差動増幅器１４１では、受信信号及び漏洩信号から、漏洩信号と同様の再現信号が差し引かれる。即ち、第１の差動端子１４３に入力される漏洩信号は、第２の差動端子１４３に入力される再現信号によりキャンセルされる。その結果、第１の差動端子１４３から、受信信号と同様の信号が出力される。よって、端末装置１００−２において受信感度の劣化を抑制することができる。
【０１１６】
以上、添付図面を参照しながら本開示の好適な実施形態について説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０１１７】
例えば、第１のインピーダンスを伴う負荷回路がアンテナ共用器の第１の端子及び第２の端子のそれぞれに対して設けられる例を説明したが、本開示の技術はかかる例に限定されない。例えば、アンテナ共用器の第１の端子及び第２の端子に共通の１つの負荷回路が設けられてもよい。
【０１１８】
また、アンテナ共用器、受信系回路、送信系回路、及び高周波スイッチを備える通信制御装置として、一例として端末装置を説明したが、本開示の技術はかかる例に限定されない。例えば、上記通信制御装置は、端末装置に備えられるいずれかの回路であってもよく、又は端末装置に無線通信機能を提供する外部接続装置であってもよい。無線通信装置は、無線通信機能を有するいずれかの装置である。
【０１１９】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０１２０】
また、無線通信装置に内蔵されるＣＰＵ、ＲＯＭ及びＲＡＭ等のハードウェアに、上記無線通信装置の各構成と同等の機能を発揮させるためのコンピュータプログラムも作成可能である。また、当該コンピュータプログラムを記憶させた記憶媒体も提供される。
【０１２１】
なお、以下のような構成も本開示の技術的範囲に属する。
（１）
第１の周波数帯域の信号を入出力するための第１の端子、第２の周波数帯域の信号を入出力するための第２の端子、及びアンテナに接続される第３の端子を有する共用器と、
受信信号を処理する受信系回路と、
送信信号を生成する送信系回路と、
第１のモードでは、前記第１の端子及び前記第２の端子の一方を前記受信系回路に接続し、前記第１の端子及び前記第２の端子の他方を前記送信系回路に接続し、第２のモードでは、前記第１の端子及び前記第２の端子の一方を前記受信系回路及び前記送信系回路に交互に接続するスイッチと、
を備える無線通信装置。
（２）
前記無線通信装置は、第１のインピーダンスを伴う負荷回路をさらに備え、
前記スイッチは、前記第２のモードでは、前記第１の端子及び前記第２の端子の他方を前記負荷回路に接続する、
前記（１）に記載の無線通信装置。
（３）
前記第１のインピーダンスは、前記受信系回路の低雑音増幅器の入力インピーダンス又は前記送信系回路のアイソレータの出力インピーダンスに対応するインピーダンスである、前記（２）に記載の無線通信装置。
（４）
前記受信系回路は、第１の差動端子及び第２の差動端子を有する差動増幅器を含み、
前記スイッチは、前記第１のモードでは、前記第１の端子及び前記第２の端子の一方を前記差動増幅器の前記第１の差動端子に接続し、前記第１の端子及び前記第２の端子の他方を前記送信系回路に接続し、
前記無線通信装置は、前記スイッチを介して前記送信系回路から前記受信系回路へ漏洩する漏洩信号を再現するレプリカ回路を備え、
前記差動増幅器の前記第２の差動端子は、前記レプリカ回路に接続され、
前記レプリカ回路は、前記漏洩信号の再現により得られる再現信号を、前記差動増幅器の前記第２の差動端子へ出力する、
前記（１）〜（３）のいずれか１項に記載の無線通信装置。
（５）
前記漏洩信号は、前記スイッチにおいて、前記送信系回路に接続可能な第１の位置から、前記受信系回路に接続可能な第２の位置へ漏洩し、
前記レプリカ回路は、前記第２の位置と同程度に前記第１の位置から離れた第３の位置で、前記第１の位置から漏洩する信号を受信することにより、前記漏洩信号を再現する、
前記（４）に記載の無線通信装置。
（６）
前記レプリカ回路は、第２のインピーダンスを伴う負荷回路を含み、
前記第２のインピーダンスを伴う前記負荷回路は、前記第３の位置を経由して、前記差動増幅器の前記第２の差動端子と接続される、
前記（５）に記載の無線通信装置。
（７）
前記第２のインピーダンスは、前記共用器の出力インピーダンスに対応するインピーダンスである、前記（６）に記載の無線通信装置。
（８）
前記第１のモードは、ＦＤＤモードであり、
前記第２のモードは、ＴＤＤモードである、
前記（１）〜（７）のいずれか１項に記載の無線通信装置。
（９）
前記第１の周波数帯域及び前記第２の周波数帯域の一方は、ＦＤＤにおけるダウンリンク用の周波数帯域であり、前記第１の周波数帯域及び前記第２の周波数帯域の他方は、ＦＤＤにおけるアップリンク用の周波数帯域である、前記（８）に記載の無線通信装置。
（１０）
第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、前記第１の端子及び前記第２の端子の一方を前記受信系回路に接続し、前記第１の端子及び前記第２の端子の他方を前記送信系回路に接続することと、
前記無線通信装置において、第２のモードでは、前記第１の端子及び前記第２の端子の一方を前記受信系回路及び前記送信系回路に交互に接続することと、
を含む通信制御方法。
（１１）
コンピュータに、
第１の周波数帯域の信号を入出力するための第１の端子、第２の周波数帯域の信号を入出力するための第２の端子、及びアンテナに接続される第３の端子を有する共用器と、受信信号を処理する受信系回路と、送信信号を生成する送信系回路とを備える無線通信装置において、第１のモードでは、前記第１の端子及び前記第２の端子の一方を前記受信系回路に接続し、前記第１の端子及び前記第２の端子の他方を前記送信系回路に接続するように、スイッチを制御することと、
前記無線通信装置において、第２のモードでは、前記第１の端子及び前記第２の端子の一方を前記受信系回路及び前記送信系回路に交互に接続するように、前記スイッチを制御することと、
を実行させるためのプログラム。
【符号の説明】
【０１２２】
１００            端末装置
１０１            アンテナ
１０３            アンテナ共用器
１０５、１０７    負荷回路
１１０、１９０    高周波スイッチ
１２０、１４０    受信系回路
１３０            送信系回路
１５０            レプリカ回路
１７１            Ａ／Ｄ変換器
１７３            Ｄ／Ａ変換器
１８０            ベースバンド信号処理デジタル回路
【図１】
2014017764.tif 000003
【図２】
2014017764.tif 000004
【図３】
2014017764.tif 000005
【図４】
2014017764.tif 000006
【図５】
2014017764.tif 000007
【図６】
2014017764.tif 000008
【図７】
2014017764.tif 000009
【図８】
2014017764.tif 000010
【図９】
2014017764.tif 000011